(57)【要約】  この発明は、ゴルファー（１０）のための練習補助器具（２２）に関する。練習補助器具は、少なくとも１つの筒状袖（２６、２８）を備えたジャケット型布地上着（２４）から形成されている。袖（２６、２８）は、補強手段を有し、ゴルファーがゴルフクラブ（１４）をスイングさせていくとき、ゴルファー（１０）の動作順序に追従する。補強手段は、フレーム（３０）として設計され、筒状袖（２６、２８）に設けられている。さらに、この発明は、ゴルファー（１０）のための練習補助器具（２２）に関し、この練習補助器具は、補強フレーム（３０）として設計されている。
2010514484.tif 000002
【特許請求の範囲】
【請求項１】
ゴルフクラブを用いたスイング時にゴルファーの動作順序に影響を及ぼす、ゴルファーのための練習補助器具であって、前記練習補助器具は、右利きの人の左腕または左利きの人の右腕に設けられており、前記練習補助器具を設けられた腕の前腕の、上腕に対する回転が減少し、身体の回転が支援されると同時に、スイングの終わりに腕を曲げられるよう、スイング中に動きが操縦されるよう設計されていることを特徴とする、ゴルファーのための練習補助器具。
【請求項２】
（ａ）  上腕（４３）を固定するための第１の袖形保持具（４２）と、
（ｂ）  関連する前腕（４９）を固定するための第２の袖形保持具（４４）と、
（ｃ）  前記第１および第２の袖形保持具（４２、４４）を腕の外側で接続して、スイング前およびスイング中に前記第１および第２の保持具間に引張り強さを生じさせる弾性のあるバンド（５０）とを特徴とする、請求項１に記載のゴルファー（１０）のための練習補助器具（２２）。
【請求項３】
支持要素（５２）が前記弾性のあるバンド（５０）に肘（５１）の範囲内で設けられていることを特徴とする、請求項２に記載のゴルファー（１０）のための練習補助器具（２２）。
【請求項４】
前記支持要素（５２）を前記弾性のあるバンドに肘（５１）の範囲内で固定するための手段を特徴とする、請求項３に記載のゴルファー（１０）のための練習補助器具（２２）。
【請求項５】
補強のために、プラスチックまたは合成繊維（３８）が設けられていることを特徴とする、請求項１から４のいずれかに記載のゴルファー（１０）のための練習補助器具（２２）。
【請求項６】
上腕または前腕に固定するために、面ファスナーが前記第１および／または第２の袖形保持具（４２、４４）に設けられていることを特徴とする、請求項１から５のいずれかに記載のゴルファー（１０）のための練習補助器具（２２）。
【請求項７】
弾性のある追加のバンドが肘下の範囲内に設けられており、前記弾性のある追加のバンドは、袖のように腕の周りで締められるよう構成されていることを特徴とする、請求項１から６のいずれかに記載のゴルファー（１０）のための練習補助器具（２２）。
【請求項８】
前記練習補助器具（２２）は、少なくとも１つの筒状袖（２６、２８）を備えたジャケット型布地上着（２４）によって形成され、前記袖（２６、２８）は、前記筒状袖（２６、２８）の中にフレーム（３０）として形成された補強材を有し、前記袖は、ゴルフクラブ（１４）をスイングするときにゴルファー（１０）の動作順序に追従することを特徴とする、請求項１に記載のゴルファー（１０）のための練習補助器具（２２）。
【請求項９】
誘導機構（３２）が設けられ、前記誘導機構は、前記フレーム（３０）をゴルファー（１０）の動きの誘導方向に移動させることを特徴とする、請求項８に記載のゴルファー（１０）のための練習補助器具（２２）。
【請求項１０】
前記フレーム（３０）は、前記袖の中に取外し可能に設けられていることを特徴とする、請求項８から９のいずれかに記載のゴルファー（１０）のための練習補助器具（２２）。
【請求項１１】
前記フレーム（３０）は、前記袖（２６、２８）から前記布地上着（２４）まで延在することを特徴とする、請求項８から１０のいずれかに記載のゴルファー（１０）のための練習補助器具（２２）。
【請求項１２】
前記フレーム（３０）は、前記袖（２６、２８）を補強するために、プラスチックまたは合成繊維（３８）および／またはワイヤ（４０）を含むことを特徴とする、請求項８から１１のいずれかに記載のゴルファー（１０）のための練習補助器具（２２）。
【発明の詳細な説明】
【技術分野】
【０００１】
この発明は、ゴルフクラブを用いたスイング時にゴルファーの動作順序に影響を及ぼす、ゴルファーのための練習補助器具に関し、この練習補助器具は、ゴルファーの腕に設けられる。
【背景技術】
【０００２】
先行技術
ゴルフは、自然のまたはわずかにだけ変形された地形の草地での球技である。ゴルフをすることのねらいは、さまざまな長さのコース上で小さな硬質のボール（ゴルフボール）をクラブで打ち、できるだけ少ない打数でホールに入れることである。通常、ゴルフコースは、９または１８ホールを備えて設計され、数百メートルの長さがある。各コースは、ティーエリアから始まり、引続きプレーするためのフェアウェイがこれに続く。フェアウェイの終わりには、非常に短く刈られた芝とゴールとしてのホールとを備えたグリーンがある。コースは、刈られていない草（ラフ）、低木林、樹木、水、および砂で満たされたバンカーなどの人工障害物に囲まれている。ホールは、認識性向上のために旗で目印が付けられている。
【０００３】
ゴルフボールを打つために、プレーヤは、異なるクラブヘッドを有する１４本の異なるクラブの中から１本を、地表および所望される軌道に応じて選択することができる。ティー上またはフェアウェイ上で、プレーヤは、できるだけ遠くへかつ正確にボールを打ちたいと思う。このために、ボールへの最適な力伝達を実現するためには、プレーヤは、高速で、したがって高い運動エネルギでボールをクラブのヘッドで打たなければならない。伝達された力の方向および量は両方とも、所望される軌道の必要な値に従ってできるだけ正確であるべきである。
【０００４】
このように打つために、通常、プレーヤは、まずクラブを彼の頭の大幅に後ろに移動させる。次に、クラブヘッドは、円形のスイング動作でボールへ誘導される。打球時、クラブヘッドの運動エネルギの一部は、ボールへ伝達される。次に、プレーヤは、引続きクラブを円形にスイングさせる。ゴルフスイングとも呼ばれるこの動作は、非常に高度な技術が必要とされる動作順序である。腕の動きの他に、肩、胴、および腰の回転も行なわれねばならない。これにより、プレーヤの体重は、一方の足から他方へ移動される。ゴルフスイングは、プレーヤのリズム、タイミング、および正確さに関する優れた感覚を必要とする。
【０００５】
初心者および経験を積んでいないプレーヤは特に、ゴルフスイングの最適動作を習得するのに深刻な問題を抱えていることがよくある。数多くの個々の動きをスイング中に連携させねばならず、体のあらゆる部分の互いの位置に注意を払わねばならない。その上、ゴルフボールも打たねばならず、所望の方向へ飛ばさねばならない。ゴルフスイングの誤った動作順序は、満足のいかないゴルフプレーの原因となることが多い。プレーヤは、ゴルフをプレーする楽しみを失うおそれがある。その上、誤った動作順序は、スポーツでの怪我の危険を伴う。関節および筋肉は、不正にかつ破壊的に応力を受けることがある。
【０００６】
衣類産業の業種全体で、スポーツに適したゴルフ衣料が取扱われている。ゴルフ衣料は、ファッション性の局面およびゴルフエチケットに加えて、機能特性が非常に重要だと考えられる。ゴルフ衣料は、ゴルフプレーヤを不利な気象条件から守り、最適な身体気候を提供すべきであり、とりわけ、ゴルフプレーヤの動きやすさを制限せずにそうすべきである。
【０００７】
公知の練習補助器具は、複雑で、必要な運動自由度を与えない。
ＵＳ７１１７５３８Ｂ２には、腕を体に引付けるためにバンドが組込まれたジャケットが開示されている。
【０００８】
ＤＥ２０２００４００８９００Ｕ１には、前腕カップと上腕カップとが固定バンドを用いることによって腕に結び付けられた伸張装置が開示されている。剛性の棒が前腕および上腕カップに結び付けられている。棒は回転可能に互いに接続されている。このために用いられる結合要素は、腕が伸張されるように付勢されている。この伸張装置は、プレーヤ一人一人に合わせなくてはならない。結合要素は、製造に費用がかさみ、組立が難しい。
【０００９】
ＵＳ４０７００２７には、肘関節全体に被せられる布地型補強機構が開示されている。
ＵＫ２３９９７６１Ａには、腕を所望される屈曲に保つ調節可能な肘スリーブが開示されている。
【００１０】
ＷＯ９９／０８７５８には、両腕の外側に沿って肩を越え右手（右利きの人について）まで延在し、スイング中の身体の動きを支援するバンドが開示されている。
【発明の概要】
【発明が解決しようとする課題】
【００１１】
発明の開示
この発明は、練習を積んでいないゴルファーでさえも、ゴルフクラブでのスイング中に正確な動作順序を行なうことができるようにする練習補助器具を提供することを目的とする。
【課題を解決するための手段】
【００１２】
この目的は、この発明に従って達成される。練習補助器具は、右利きの人の左腕にまたは左利きの人の右腕に設けられる。練習補助器具は、練習保護器具を設けられた前腕の、上腕に対する回転が減少し、身体の回転が支援されると同時に、スイングの終わりに腕を曲げられるよう、スイング中に動きが操縦されるよう設計されている。
【００１３】
練習補助器具は、
（ａ）  上腕を固定するための第１の袖形保持具と、
（ｂ）  関連する前腕を固定するための第２の袖形保持具と、
（ｃ）  第１の袖形保持具を第２の袖形保持具に腕の外側で接続して、スイング前およびスイング中に第１および第２の保持具間に引張り強さを生じさせる弾性のあるバンドとを含む。
【００１４】
このような袖形保持具は、たとえば、血圧を調べるための腕帯と似た方法で装着する。公知の練習補助器具とは対照的に、この発明の練習補助器具は、単純で弾性のある構成部品を備えて動作し、棒、結合要素などによる怪我の危険もない。この練習補助器具の製造は、費用がかさまない。この練習補助器具は、軽量で非常に着心地がよい。
【００１５】
引張り強さは、腕の外側に延在する弾性のあるバンドによって腕に及ぼされ、これにより腕を伸張させる。引張り強さは、スイングの終わりに腕を曲げることができるよう提供される。前腕は、上腕に対して回転しにくくなる。スイング中に前腕に及ぼされる力は、所望される身体の回転に変換される。脊椎の望ましくない曲げおよびそれに伴う怪我の危険は、回避される。
【００１６】
好ましくは、支持要素が、弾性のあるバンドに肘の範囲内で設けられる。また、支持要
素を弾性のあるバンドに肘の範囲内で固定するための手段が設けられてもよい。これにより、弾性のあるバンドは、その位置によりうまく保持される。支持要素は、肘を嵌め込むための空洞を備えたカップであってもよい。このカップは、バンドに縫うように通されてもよい。あるいは、支持要素は、バンドに直接一体化されている。バンドの開口部でさえも、スイング中にバンドが腕の外側に留まるよう、バンドの肘に対する位置を固定するためには適している。
【００１７】
この発明の１つの変形例において、上腕または前腕に固定するために、面ファスナーが第１および／または第２の袖形保持具に設けられる。スナップまたはファスナーも有用である。面ファスナーを用いることによって、練習補助器具を迅速に装着することが可能となる。その上、面ファスナーは、ゴルファーの腕の大きさに合わせるのによく適している。
【００１８】
この発明の特に好ましい変形例において、弾性のある追加のバンドが肘下の範囲内に設けられ、袖のように腕の周りで締められるよう構成されている。このバンドは、「ゴルフ肘」などの健康被害を予防する。
【００１９】
この発明の代替的な変形例において、練習補助器具は、少なくとも１つの筒状袖を備えたジャケット型布地上着によって形成され、袖は、筒状袖の中にあるフレームとして形成された補強材を有し、袖は、ゴルフクラブをスイングするときにゴルファーの動作順序に追従する。この変形例も、練習補助器具で、腕の前腕の上腕に対する回転を減少させ、身体の回転を促進する。しかしながら、腕は袖の内部で自由に回転可能である。ゴルファーが前腕の回転を感じるので、動きが支援される。身体感覚のこの強化によって、正しいゴルフスイングのために動きが支援される。
【００２０】
この発明は、ゴルフスイング中にゴルファーの運動自由度を制限する原理に基づく。驚くべきことに、フレームとして設計された袖の補強およびそれに伴う運動自由度の制限は、ゴルファーに運動感覚および触覚の知覚向上をもたらすことが示された。ゴルファーはコンパクトで快適なスイング感覚を身体に感じ、非常によく連係された動作順序に繋がる。
【００２１】
スイング中、動きやすさの制限も、フレームのみによって引起され、このフレームは、布地に一体化されておらず、単に腕に留められている。
【００２２】
この発明に従う練習補助器具は、ゴルフスイングの動作順序全体の改善をもたらす。これにより、最適な動作順序をはるかにより早く達成することができる。特に、練習補助器具は、肩の正確な回転と腕の回転の理解とを促進する。腕の角度をよりうまく維持するために、クラブヘッドの高速化が実現され、ゴルフスイングの半径が増大する。最適なフォロースルーは、自動的に、左足へのより上手な体重移動をもたらす。
【００２３】
正しいゴルフスイングを早く習得することによって、ゴルフの楽しみが増す。加えて、誤った動作順序によるスポーツでの怪我が回避される。その上、この発明の練習補助器具は、ゴルファーの試合で、不利な条件を負った動作順序のゴルファーを支援する。
【００２４】
この発明に従ったゴルファーのための練習保護器具の有利な変形例に従って、誘導機構が提供され、この誘導機構は、フレームをゴルファーの動きの誘導方向に移動させる。誘導機構は、正確な動きを促進し、誤った位置および動きを抑制する。よって、腕は動きの理想の動作順序に導かれる。ゴルファーは、スイングを行っているときに、理想のゴルフスイングを速やかにかつ直接習得する。
【００２５】
この発明のもう１つの好ましい変形例において、フレームは、取外し可能に袖に設けられている。たとえば、フレームは、１つ以上のボタン、ファスナー、面ファスナー、またはこういった留め具の組合せで、袖に取外し可能に取付けられている。その上、フレームを、袖の、対応するポケット形装置に組込むことが可能である。よって、フレームを、ジャケット型布地上着から取除くことができる。そうすることによって、布地上着は、たとえばジャケットとして、汎用可能である。その上、欠陥フレームの取換えまたは他の特性を有するフレームとの交換が、簡単かつ速やかに可能である。
【００２６】
この発明に従ったゴルファーのための練習補助器具の実行可能な変形例において、フレームは、筒状である。筒状フレームは、ゴルフスイング中に腕を、可能な限り最良にしっかりつかむこと、したがって、良好に誘導することを実現する。加えて、フレームは、同じ量の材料で他の形状から得られるよりも高い安定性を筒状の形状から得、袖によりうまく一体化させることができる。要求される材料がより少ないので、製造コストによい影響を与える。
【００２７】
この発明のもう１つの有利な変形例において、フレームは、袖から布地上着まで延在する。そうすることによって、肩関節および上体も、動きの制限および動きの誘導の恩恵を受ける。誤った動きおよび間違った位置決めが、肩と上体の範囲内において回避される。この結果、ゴルフスイングの最適な動作順序がより効果的に習得される。その上、誤った動きによる上体の筋肉または関節の怪我が防止される。
【００２８】
この発明に従ったゴルファーのための練習補助器具の好ましい変形例において、フレームは、袖を補強するためのプラスチックまたは合成繊維を含む。プラスチックまたは合成繊維は、軽量、高強度、弾性および長期耐久性などのその材料特性ゆえに、フレームに特に適している。軽量のため、ゴルファーは不利な条件を負わない。高強度で弾性があるので、フレームを損傷する危険なしに、練習補助器具の確実な補強が実現される。フレームの損傷により、使用者は怪我をするおそれがある。加えて、プラスチックまたは合成繊維から作られたフレームは、簡単にかつ費用がかさまずに製造することができ、布地上着に一体化させることが簡単である。
【００２９】
この発明のもう１つの効果的な変形例において、フレームは、袖を補強するためのワイヤを含む。その特性のため、ワイヤは布地上着の補強にも適している。フレームの実施例に応じて、ワイヤ、プラスチック、合成繊維、またはこういった材料の組合せを用いることが適切であろう。
【００３０】
この発明に従ったゴルファーのための練習補助器具の有利な変形例に従って、ジャケット型布地上着は、通気性のある布地からなる。通気性のある布地は、耐候性および耐風性がある。しかしながら、身体からの湿気は蒸気として通過し、人体の自然な温度調節を支援する。通気性のある材料のため、ジャケット型布地上着は、雨または風などの不利な気候影響からゴルファーを安全に保護すると同時に、快適な身体気候を提供する。ゴルファーは、ジャケット型布地上着を着ていて心地よく、ゴルフスイングによりうまく集中することができる。
【００３１】
好ましい材料として、この発明は、補強フレームにプラスチックまたは合成繊維を提案する。これらは、可撓性のある材料であり、強制的な動きにもかかわらず、依然としてゴルファーに十分な弾性を提供し、したがってスポーツのための快適さを提供する。
【００３２】
プラスチックまたは合成繊維の代わりに、フレームは好ましくは、ワイヤも含み得る。ワイヤは、プラスチックまたは合成繊維と組合せても用意され得る。これに関連して、ワイヤは、弾性についてプラスチックまたは合成繊維と類似した特性を有するが、現在、さ
らに安価である。
【００３３】
この発明の変形例は、下位クレームの主題である。この発明の例示的な実施例は、添付の図面を参照して以下により詳細に説明される。
【図面の簡単な説明】
【００３４】
【図１】ジャケットの形状である練習補助器具を装着したゴルファーの概略図である。
【図２】図１に従った練習補助器具の詳細図である。
【図３】袖を備えた練習補助器具の内側を示す図である。
【図４】図３の練習補助器具の外側を示す図である。
【図５】装着された状態で図３および図４の練習補助器具を示す図である。
【発明を実施するための形態】
【００３５】
好ましい実施例
図１において、番号１０は、ゴルフボール１２を打つためにゴルフスイングを行なっているゴルファーを示す。このために、ゴルファー１０は、クラブヘッド１６と、シャフト１８と、グリップ２０とを備えたクラブ１４を用いる。ゴルファー１０は、可能な限り最良の動作順序を実現するために、番号２２で全体的に示された練習補助器具を着ている。練習補助器具２２は、２つの袖２６、２８を備えたジャケット２４の形状である布地上着を含む。袖２６のみならず布地上着２４も、フレーム３０によって補強される。代替的な実施例において、袖２６、２８は両方とも、補強のためのフレーム３０を設けられている。フレーム３０は、動く間にフレームを特定の誘導方向に導くいくつかの誘導機構３２を有する。
【００３６】
図２は、図１に従った練習補助器具２２の詳細な部分を示す。対応する要素は、同じ参照番号で示されている。フレーム３０は、補強のために、２つの袖２６、２８を備えたジャケット型布地上着２４に取付けられている。袖２６において、フレームは筒状であり、よって腕を可能な限り最良にしっかりつかみ、動きを良好に誘導することを確実にする。フレーム３０は、袖２６を越えて布地上着２４まで延在し、誘導機構３２を有する。誘導機構は、たとえば、ジョイントとして形成され、ゴルフスイング中に、ゴルファーの上体および腕を最適な動作順序に誘導する。補強は、スイング中に、より良好な動く感覚を生じさせ、身体の所望される回転に繋がる。
【００３７】
留め具３６によって、フレーム３０は、布地上着２４に取外し可能に取付けられている。たとえば、ボタン、スナップ、ファスナー、または面ファスナーが、留め具３６として用いられる。図示しないもう１つのの実施例において、フレーム３０を袖２６、２８および布地上着２４の中に保持するために、ポケットが設けられる。
【００３８】
この実施例において、フレーム３０は、プラスチック３８とスチールワイヤ４０とからなる。合成繊維、他の材料、複合材料、またはこういった物質の組合せなどの他の材料の使用も可能である。布地上着２４は、好ましくは、練習補助器具２２の使用時に快適な身体気候を実現するために、通気性のある布地から作られている。
【００３９】
ゴルフスイング中、ゴルファー１０は、その運動自由度を補強フレーム３０によって制限されている。これは、ゴルファーの運動感覚および触覚の知覚向上に繋がり、よって非常によく連係された動作順序に繋がる。ゴルファー１０は、ゴルフスイング中に、より大きな張力を感じ、補強フレーム３０によって完璧なゴルフスイングに導かれるであろう。誤った動きまたは間違った位置によって生じる怪我が回避されるので、初心者は、練習補助器具２２を用いると、ゴルフスイングをより早くより安全に習得する。
【００４０】
図３および図４に、この発明の別の実施例を示す。本質的に、練習補助器具３０は、２つの袖４２、４４を含む。第１の袖４２は、ゴルファー１０の左腕４５の上腕４３のために設けられている−図４参照。説明される実施例において、ゴルファーは右利きである。袖を、同様に、左利きの人の右腕に設けることができることは明らかである。第２の袖４４は、対応する前腕４９のために設けられている。袖４２、４４は、上腕４３または前腕４９に、それぞれ面ファスナーのバンド４６、４８で取付けられる。このために、バンドは、袖の反対側にある金属環６０または金属環６２を通されており、折り返される。金属環６０および金属環６２は、反転された布地バンド６４、６６によって袖の外側に縫合されている。面ファスナーを備えたこの設計は、腕の異なる大きさに合わせて袖を調節することを可能にする。袖４２および袖４４は、内側で腕とぴったり当接し、ゴルフスイングを行なっているときに通常生じる力によって外れることはない。代替的な実施例において、バンド４８およびバンド４６は、省かれ、面ファスナーは、袖に直接設けられる。
【００４１】
袖４２、４４は、接続バンド５０を介して、可変距離離れて互いに接続されている。接続バンド５０は、縫い目６８および縫い目７０によって、袖４２の外側に縫合されている。金属環７２は、袖４４に縫合されている。接続バンド５０は、金属環７２に通されており、装着のために折り返される。所望の長さでの装着は、袖と同様に、面ファスナー７４によって行なわれる。
【００４２】
接続バンド５０は、（右利きの）ゴルファー１０の左腕４５の肘５１を覆って誘導される。肘５１の範囲内において、支持要素５２が、肘５１の固定のために設けられている。このために、支持要素５２は、２つの細長い穴７４および７６でバンド５０に縫うように通されている。細長い穴７４および細長い穴７６は、支持要素５２が移動可能であるよう、十分な大きさがある。ゆえに、支持要素５２の位置は、支持要素が肘にちょうど当接するように調節することができる。そうすることによって、接続バンド５０は、その腕の外側の位置に固定される。支持要素は、発泡プラスチック材料で作られている。内側には、支持要素は肘が収まる空洞が設けられている。
【００４３】
図３および図４に示した袖を備えた練習補助器具に加えて、バンド５４も、打つ腕の周りに装着されることができ、このバンドは、面ファスナー５６で取付けられている。このバンドで、「ゴルフ肘」と呼ばれる健康への被害が予防される。
【００４４】
図５は、どのように練習補助器具３０を右利きのゴルファー１０の左腕４５の周りに装着するのかを示す。袖４２、４４のみならず支持要素５２による肘５１の固定により、腕は伸張され、この伸張された位置に固定される。よって、ゴルファー１０は、ゴルファーの肩５６の上での前腕４５の回転動作を、身体の回転動作に変換するよう強制される。この動作順序は、整形外科的見地から特に有利である。このようにして、外上顆炎として知られる、痛みのある炎症が有効に予防される。外上顆炎は、ゴルファーに起こることが多々あり、「テニス肘」という用語で知られている。この炎症は、主としてゴルファー１０の腕４５への間違った負担により生じる。
【図１】
2010514484.tif 000003
【図２】
2010514484.tif 000004
【図３】
2010514484.tif 000005
【図４】
2010514484.tif 000006
【図５】
2010514484.tif 000007
【国際調査報告】
2010514484.tif 000008
2010514484.tif 000009
2010514484.tif 000010
2010514484.tif 000011
2010514484.tif 000012
2010514484.tif 000013